(57)【要約】【課題】      外部クロックに依存することなく安定した表示駆動の制御を可能にする液晶表示装置の表示制御装置を提供する。【解決手段】  外部クロックE-CLKと共に画像データE-DATAを供給され、液晶表示パネル10のデータドライバDD及びゲートドライバGDにそれらのドライブタイミングを制御するタイミング制御信号を供給する表示制御装置20において、外部クロックI-CLKに依存することなく内部クロックI-CLKを生成する内部クロック生成ユニットOSCと、供給される画像データE-DATAが外部クロックE-CLKに同期して書き込まれるバッファメモリ22と、バッファメモリ22に書き込まれた画像データD-DATAを内部クロックI-CLKに同期してデータドライバDDに供給し、データドライバDDによる画像データD-DATAに対応するデータ電圧のデータ線への印加タイミングを制御する電圧印加信号DVDと、ゲートドライバGDによるゲート線のドライブタイミングを制御するゲートクロックC-CLKとを少なくとも含むタイミング制御信号を、内部クロックI-CLKに同期して生成するタイミング制御ユニット24とを有する。【選択図】    図１
2006017802.tif 000002
【特許請求の範囲】
【請求項１】
外部クロックと共に画像データを供給され、液晶表示パネルのデータドライバ及びゲートドライバにそれらのドライブタイミングを制御するタイミング制御信号を供給する表示制御装置において、
前記外部クロックに依存することなく内部クロックを生成する内部クロック生成ユニットと、
前記供給される画像データが前記外部クロックに同期して書き込まれるバッファメモリと、
前記バッファメモリに書き込まれた画像データを前記内部クロックに同期して前記データドライバに供給し、前記データドライバ及びゲートドライバのタイミング制御信号を、前記内部クロックに同期して生成するタイミング制御ユニットとを有することを特徴とする表示制御装置。
【請求項２】
請求項１において、
前記タイミング制御信号には、前記データドライバによる前記画像データに対応するデータ電圧のデータ線への印加タイミングを制御するデータ電圧印加信号と、前記ゲートドライバによるゲート線のドライブタイミングを制御するゲートクロックとが含まれることを特徴とする表示制御装置。
【請求項３】
請求項１において、
前記タイミング制御ユニットは、前記ゲート線のドライブ終了後に前記データ線へのデータ電圧の印加を継続するデータホールド時間を、前記内部クロックに同期して制御することを特徴とする表示制御装置。
【請求項４】
請求項１において、
前記タイミング制御ユニットは、前記データ線へのデータ電圧印加に先立って隣接するデータ線を短絡するチャージシェア時間を、前記内部クロックに同期して制御することを特徴とする表示制御装置。
【請求項５】
請求項１において、
更に、外部からの表示同期信号に応じ且つ前記内部クロックに同期して生成される内部同期信号に応答して、カウンタ値をリセットし、前記内部クロックに同期してインクリメントまたはデクリメントするカウンタを有し、
前記タイミング制御ユニットは、前記カウンタのカウント値に基づいて、前記タイミング制御信号を生成することを特徴とする表示制御装置。
【請求項６】
請求項１において、
前記バッファメモリは、１行分の画像データを分割して格納する複数の分割ラインメモリであり、
前記タイミング制御ユニットは、前記外部クロックに同期して、前記画像データを前記複数の分割ラインメモリにシリアルに書き込み、前記内部クロックに同期して、前記複数の分割ラインメモリに格納された画像データをパラレルに読み出し、前記データドライバに供給することを特徴とする表示制御装置。
【請求項７】
外部クロックと共に表示同期信号に対応して画像データを供給され、液晶表示パネルのデータドライバ及びゲートドライバにそれらのドライブタイミングを制御するにタイミング制御信号を供給する表示制御装置において、
前記外部クロックに依存することなく一定周波数の内部クロックを生成する内部クロック生成ユニットと、
前記供給される画像データが前記外部クロックに同期してシリアルに書き込まれる第１及び第２のラインメモリと、
前記第１及び第２のラインメモリに書き込まれた画像データを前記内部クロックに同期して並列に読み出して前記データドライバに供給し、前記データドライバ及びゲートドライバのタイミング制御信号を前記内部クロックに同期して生成するタイミング制御ユニットとを有することを特徴とする表示制御装置。
【請求項８】
請求項７において、
前記タイミング制御ユニットは、前記ゲート線のドライブ終了後に前記データ線へのデータ電圧の印加を継続するデータホールド時間を、前記内部クロックに同期して制御することを特徴とする表示制御装置。
【請求項９】
外部クロックと共に画像データを供給され、液晶表示パネルのデータドライバ及びゲートドライバにそれらのドライブタイミングを制御するタイミング制御信号を供給する表示制御装置を有する液晶表示装置において、
前記表示制御装置は、
前記外部クロックに依存することなく内部クロックを生成する内部クロック生成ユニットと、
前記供給される画像データが前記外部クロックに同期して書き込まれるバッファメモリと、
前記バッファメモリに書き込まれた画像データを前記内部クロックに同期して前記データドライバに供給し、前記データドライバ及びゲートドライバのタイミング制御信号を、前記内部クロックに同期して生成するタイミング制御ユニットとを有することを特徴とする液晶表示装置。
【請求項１０】
外部クロックと共に表示同期信号に対応して画像データを供給され、液晶表示パネルのデータドライバ及びゲートドライバにそれらのドライブタイミングを制御するにタイミング制御信号を供給する表示制御装置を有する液晶表示装置において、
前記外部クロックに依存することなく一定周波数の内部クロックを生成する内部クロック生成ユニットと、
前記供給される画像データが前記外部クロックに同期してシリアルに書き込まれる第１及び第２のラインメモリと、
前記第１及び第２のラインメモリに書き込まれた画像データを前記内部クロックに同期して並列に読み出して前記データドライバに供給し、前記データドライバ及びゲートドライバのタイミング制御信号を前記内部クロックに同期して生成するタイミング制御ユニットとを有することを特徴とする液晶表示装置。
【発明の詳細な説明】
【技術分野】
【０００１】
本発明は、液晶表示装置の表示制御装置及びそれを有する液晶表示装置に関し、特に、外部クロックに依存することなく液晶パネルのタイミングマージンを確保することができる表示制御装置及びそれを有する液晶表示装置に関する。
【背景技術】
【０００２】
液晶表示装置は、液晶層を有する表示パネルと、その表示パネルを駆動するゲートドライバ、データドライバと、ゲートドライバやデータドライバの制御を行う表示制御装置とを有し、パーソナルコンピュータなどの表示信号供給装置から画像データとクロックを供給され、画像データに対応する画像を表示する。
【０００３】
液晶表示装置は、外部からの入力クロックに同期して供給される画像データをラッチし、入力クロックに同期して内部のパネル駆動のためのタイミング制御信号を生成し、当該タイミング制御信号によってデータドライバやゲートドライバによるデータ線やゲート線のドライブ動作を制御する。このように、表示信号供給装置からの入力される入力クロックに同期して、入力画像データを入力し、表示パネル制御信号を生成する。
【０００４】
例えば、特許文献１に液晶表示装置の表示制御装置が提案されている。この特許文献１には、入力クロックに同期して画像データを１対の左ラインメモリと右ラインメモリに書き込み、１対の左右ラインメモリから並列に読み出してデータドライバに供給することが記載されている。この特許文献１によれば、内部で生成したクロックに同期して複数のラインメモリから並列に画像データを読み出してデータドライバに供給するので、画像データのデータドライバへの供給を確実に行うことができる。但し、データドライバやゲートドライバのタイミングを制御するタイミング制御信号についての記載はない。
【特許文献１】特開２００３−６６９１１号公報
【発明の開示】
【発明が解決しようとする課題】
【０００５】
上記のように、従来の液晶表示装置の表示制御装置は、一部の例外を除いて、入力クロックに同期して表示パネルのドライブタイミングを制御している。ところが、近年において、液晶表示パネルの大型化と画素数の増大に伴い、ゲート線のドライブタイミングのマージンやデータ線のドライブタイミングのマージンがより厳しくなってきている。また、これらのドライブにおいて、従来に増してより複雑なドライブ制御が必要となり、様々なタイミングマージンが厳しく、つまり小さくなる傾向にある。
【０００６】
一方で、パーソナルコンピュータなどの表示信号供給装置側のクロック速度のばらつきが大きくなり、所定の規格範囲を超えたクロック速度で表示信号を供給することも少なくなく、前述のタイミングマージンの低下とあいまって、外部クロックに同期して表示パネルのドライブタイミングを制御することでは、安定して表示制御することができなくなるという課題を有する。
【０００７】
そこで、本発明の目的は、外部クロックの周波数に依存せず、安定した表示制御を可能にする液晶表示装置の表示制御装置及びそれを利用した液晶表示装置を提供することを目的とする。
【課題を解決するための手段】
【０００８】
上記の目的を達成するために、本発明の第１の側面は、外部クロックと共に画像データを供給され、液晶表示パネルのデータドライバ及びゲートドライバにそれらのドライブタイミングを制御するタイミング制御信号を供給する表示制御装置において、前記外部クロックに依存することなく内部クロックを生成する内部クロック生成ユニットと、前記供給される画像データが前記外部クロックに同期して書き込まれるバッファメモリと、前記バッファメモリに書き込まれた画像データを前記内部クロックに同期して前記データドライバに供給し、前記データドライバによる前記画像データに対応するデータ電圧のデータ線への印加タイミングを制御する電圧印加信号と、前記ゲートドライバによるゲート線のドライブタイミングを制御するゲートクロックとを少なくとも含むタイミング制御信号を、前記内部クロックに同期して生成するタイミング制御ユニットとを有する。
【０００９】
上記の第１の側面において、より好ましい実施例では、前記タイミング制御ユニットは、前記ゲート線のドライブ終了後に前記データ線へのデータ電圧の印加を継続するデータホールド時間、前記データ線へのデータ電圧印加に先立って隣接するデータ線を短絡するチャージシェア時間とを、前記内部クロックに同期して制御することを特徴とする。
【００１０】
上記の目的を達成するために、本発明の第２の側面は、上記第１の側面の表示制御装置と、液晶表示パネルと、データドライバ及びゲートドライバとを有する液晶表示装置である。
【発明の効果】
【００１１】
前記本発明の第１の側面によれば、液晶表示パネルのドライバ回路へのタイミング制御信号を外部から供給される入力クロックではなく、入力クロックに依存しない内部クロックに同期して生成しているので、ドライバ回路の種々のドライブマージンを満たすタイミング制御信号により安定して表示制御することができる。
【発明を実施するための最良の形態】
【００１２】
以下、図面にしたがって本発明の実施の形態について説明する。但し、本発明の技術的範囲はこれらの実施の形態に限定されず、特許請求の範囲に記載された事項とその均等物まで及ぶものである。
【００１３】
図１は、本実施の形態における液晶表示装置の構成図である。液晶表示装置は、液晶表示パネル１０と、表示パネルの水平方向に配置されたゲート線ＧＬを水平同期信号に同期して駆動する複数のゲートドライバGD-1〜GD-M、表示パネルの垂直方向に配置されたデータ線ＤＬに水平同期信号に同期して画像データに対応するデータ電圧を印加する複数のデータドライバDD-1〜DD-Nと、それらのドライバの動作タイミングを制御する表示制御装置２０とを有する。表示パネル１０には、水平方向に複数のゲート線GLが配置され、垂直方向に複数のデータ線DLが配置され、それらの交差位置にセルトランジスタTFTと液晶画素LCとを有する画素PXが配置されている。複数のゲートドライバGDは、ゲートドライバ基板１２上に搭載され、それぞれが複数本のゲート線をドライブする。また、複数のデータドライバDDは、データドライブ基板１４上に搭載され、それぞれが複数本のデータ線にデータ電圧を印加する。
【００１４】
更に、表示制御装置２０は、図示しないパソコンなどの表示信号供給装置から入力クロックE-CLKに同期して画像データE-DATAが供給され、上記ドライバへのタイミング制御信号、つまり、ゲート信号制御信号GSG、ゲートクロックG-CLK、データ線電圧印加信号DVDと、内部画像データD-DATAとを生成し、ドライバGD、DDに供給する。表示制御装置２０は、入力クロックに依存しない一定の周波数を有する内部クロックI-CLKを生成する内部クロック生成用発振回路OSCと、タイミング制御信号を生成するタイミング制御ユニット２２と、入力される画像データE-DATAを一時的に蓄積するバッファメモリとしてのラインメモリ２４とを有する。
【００１５】
タイミング制御ユニット２２は、供給される画像データE-DATAを入力クロックE-CLKに同期してラインメモリ２４に書き込み、内部クロックI-CLKに同期して上記タイミング制御信号を生成すると共に、ラインメモリ２４内に書き込んだデータを内部クロックI-CLKに同期して読み出し、データドライバDDに供給する。詳細な動作については、後述する。
【００１６】
図２は、ゲートドライバとデータドライバの構成を示す図である。ゲートドライバGDは、ゲートクロックG-CLKに同期してシフトするシフトレジスタ３０と、シフトレジスタ３０の出力に応答して、対応するゲート線GLに所定のゲート電圧波形を印加するゲートドライバ回路３２とを有する。このゲートドライバ回路３２は、ゲート信号制御信号GSCのタイミングに応答して、ゲート電圧波形を後述する所定の形状に成形する。また、データドライバDDは、内部データD-DATAに対応してデータ線へのデータ電圧を生成し、データ線に当該データ電圧を印加するデータドライバ回路３４と、データ線へのデータ電圧を印加する前に、隣接するデータ線間を短絡するデータ線短絡回路SCとを有する。
【００１７】
液晶表示パネルは、液晶の寿命を長くする目的で、隣接するデータ線に印加する電圧の極性を水平同期期間毎に反転する反転駆動方式で駆動されるのが一般的である。その場合、隣接する水平同期期間において、前の水平同期期間での印加電圧極性とは反対の極性で、現在の水平同期期間での印加データ電圧が生成される。そこで、前水平同期期間での印加電力を無駄にしないために、隣接データ線間を短絡して、両データ線のチャージをシェアし、その後に、逆極性のデータ電圧を印加することが行われる。この短絡する時間を最適化することで、データ線のチャージを無駄にすることなく省電力化を図ることができる。そして、データ線電圧印加信号DVDにより隣接データ線間の短絡制御のタイミングが制御される。したがって、このデータ線電圧印加信号DVDのタイミングは、省電力化に影響を与える。
【００１８】
図３、図４は、外部クロックに同期する場合の表示制御装置の動作波形図である。表示パネルのタイミング制御信号を外部クロックE-CLKに同期して生成することが従来例において行われている。パソコンなどの表示信号供給装置は、同期用のクロックE-CLKと表示同期信号情報が埋め込まれた画像データE-DATAとを液晶表示装置の表示制御装置２０に供給する。そして、画像データに埋め込まれた表示同期信号情報に基づいて、表示制御装置２０が入力クロックE-CLKに同期したイネーブル信号ENABLEを生成する。このイネーブル信号が、水平同期期間と垂直同期期間を制御する表示同期信号である。または、パソコンなどの表示信号供給装置は、同期用のクロックE-CLK及びイネーブル信号ENABLEと、画像データE-DATAとを供給する場合もある。その場合は、イネーブル信号及び画像データE-DATAはいずれも入力クロックE-CLKに同期している。
【００１９】
ゲートクロックG-CLKは、イネーブル信号ENABLEの立ち上がりより所定時間早く立ち上がり、イネーブル信号ENABLEの立ち下がりに応答して立ち下がる信号であり、ゲート線の走査タイミングを制御する。つまり、ゲートクロックG-CLKの立ち上がりに同期して、ゲート線GL-1,GL-2,GL-3が順次走査駆動される。また、ゲート信号制御信号GSCは、ゲートクロックG-CLKの立ち上がりに応答して立ち下がり、所定時間後に立ち上がるタイミング制御信号であり、ゲート信号制御信号GSCの立ち上がりに応答して、ゲート線GL-1,GL-2の駆動波形が、Hレベルから徐々に低下するように制御される。このゲート線駆動波形の低下は、表示パネルの水平方向に長く延びるゲート線の印加電圧波形が、ゲートドライバの反対側でなまるのを抑制するために行われる。
【００２０】
更に、イネーブル信号ENABLEの立ち下がりで立ち上がり、立ち上がりで立ち下がるデータ電圧印加信号DVDは、隣接するデータ線間を短絡する短絡回路のタイミング制御回路であり、データ電圧印加信号DVDがHレベルの間ｔSC、隣接データ線間が短絡される。したがって、水平同期期間Hsync開始から短絡期間（またはチャージシェア時間）ｔSCの間は、隣接データ線間が短絡され、その後、データ電圧印加信号DVDがLレベルの間、データ線DLが画像データD-DATAに対応するデータ電圧でドライブされる。つまり、データ電圧印加信号DVDは、データ線DLへの電圧印加タイミングを制御している。そして、ゲート線GL-1,GL-2へのゲート電圧の印加が終了した後も、所定のデータ保持時間ＤＨの間は、データ線ＤＬへのデータ電圧印加が継続される。
【００２１】
上記のデータ保持時間ＤＨは、液晶表示パネルの駆動特性に影響を与えるので、設計された時間に納めることが必要である。同様に、前水平同期期間での蓄積チャージを有効利用してその駆動電力を無駄にしないために、短絡期間（チャージシェア時間）ｔＧＳを設計された時間を確保することが必要であり、それにより最適な省電力化を図ることができる。
【００２２】
図４は、入力クロックが高速になった場合の表示制御装置の動作波形図である。この動作波形においても、入力クロックE-CLKに同期して、表示パネルをドライブするタイミング制御信号G-CLK、GSC、DVDが生成される。但し、入力クロックE-CLKが高速になったことにより、各タイミング制御信号もそれに同期して高速化され、それらタイミング制御信号により生成される短絡期間（チャージシェア時間）ｔSCやデータ保持期間DHが短くなり、表示パネルの設計値通りのタイミングマージンを確保することができなくなり、安定した表示パネルの動作が得られなくなる。このようなタイミングマージンの問題は、近年において、表示パネルの大型化と画素数の増大に起因するものである。したがって、タイミングマージンがより厳格になった液晶表示パネルのタイミング制御を、入力クロックに同期させる方法は、かかる大型化され画素数が増大した表示パネルには不適切になる傾向がある。
【００２３】
図５は、本実施の形態における表示制御装置のタイミング制御ユニット２２の構成図である。この図には、タイミング制御ユニット２２の構成に加えて、ラインメモリ２２も示されている。タイミング制御ユニット２２は、入力画像データE-DATAから同期情報と画像データとを分離する信号分離回路４４を有し、信号分離回路４４は、分離した同期情報を基に入力クロックE-CLKに同期してイネーブル信号ENABLEを生成するとともに、分離した画像データD-DATAをラインメモリ２２に供給する。このラインメモリ２２は、たとえば、ライト入力端子とリード出力端子とを有し、書き込みと読み出しとを同時に行うことができるデュアルポートメモリであり、ラインメモリ制御回路４８により生成されるライトイネーブル信号WEとライトクロックWCLKとにより、ラインメモリへの画像データの書き込み動作が制御され、ラインメモリ制御回路４８により生成されるリードイネーブル信号REとリードクロックRCLKとにより、画像データの読み出し動作が制御される。ラインメモリ制御回路４８は、イネーブル信号ENABLEと入力クロックE-CLKに同期して、ライトイネーブル信号WEとライトクロックWCLKとを生成し、入力クロックに同期して供給画像データE-DATAをラインメモリ２２に書き込む。
【００２４】
タイミング制御ユニット２２内の同期信号生成回路４６は、イネーブル信号ENABLEのタイミングに基づき、内部クロックI-CLKに同期した内部同期信号I-SYNCを生成し、カウンタ４０にリセット信号RSTとして供給する。カウンタ４０は、リセット信号RSTによりリセットされた後、内部クロックI-CLKに同期してカウント動作を行う。そして、カウンタのカウント値COUNTがタイミング制御信号生成回路４２に供給され、あらかじめ設定されたカウント値のタイミングで、ゲートクロックG-CLK、ゲート信号制御信号GSC、データ電圧印加信号DVDらのタイミング制御信号が生成される。また、タイミング制御ユニット２２内のラインメモリ制御回路４８は、このカウント値COUNTを入力し、あらかじめ設定されたカウント値のタイミングでリードイネーブル信号REとリードクロックRCLKとを生成し、ラインメモリ２２の読み出し動作を制御する。
【００２５】
図６は、本実施の形態における表示制御装置の動作波形図である。入力クロックE-CLKに同期したイネーブル信号ENABLEに応じて、ライトイネーブル信号WEが生成され、それに基づいて、入力画像データE-DATAが、ラインメモリ２２に書き込まれる。一方、内部クロックI-CLKに同期して生成される内部同期信号I-SYNC（図示せず）と内部クロックI-CLKに同期して生成されるカウンタ４０のカウント値COUNT(図示せず)をもとに、リードイネーブル信号RE、ゲートクロックG-CLK、ゲート信号制御信号GSC、データ電圧印加信号DVDが生成される。つまり、これらのタイミング制御信号は、外部クロックE-CLKにかかわらず一定周期の内部クロックI-CLKに同期した設計値通りのタイミングになる。
【００２６】
まず、リードイネーブル信号REに応答して、ラインメモリ２２内の画像データD-DATAが読み出され、データドライバに供給される。一方、ゲートクロックG-CLKに応答して、ゲート線が順次Ｈレベルにドライブされ、ゲート信号制御信号GSCに応答して、ゲート電圧が降下される。そして、データ電圧印加信号DVDに応答して、データドライバは、画像データD-DATAに対応するデータ電圧をデータ線に印加する。このように、内部のタイミング制御信号が全て内部クロックI-CLKに同期した設計値通りのタイミングになるので、データ線間の短絡期間（チャージシェア期間）ｔSCや、ゲート線への電圧印加終了後にデータ線へのデータ電圧印加を継続するデータ保持期間DHも設計値通りの時間に制御される。
【００２７】
図７は、本実施の形態における表示制御装置の動作波形図である。入力クロックE-CLKに同期するイネーブル信号ENABLEの立ち上がりエッジが発生する時に、内部クロックI-CLKに同期して内部同期信号I-SYNCが生成され、その内部同期信号I-SYNCでリセットされたカウンタが、内部クロックI-CLKに同期してカウントアップ（或いはカウントダウン）する。そして、そのカウンタのカウンタ値COUNTにもとづいて、タイミング制御信号、つまりリードイネーブル信号RE、ゲートクロック信号G-CLK、ゲート信号制御信号GSC、データ電圧印加信号DVDが生成される。例えば、ゲートクロック信号G-CLKは、カウント値COUNTが「２」になった次のタイミングでHレベルになり、カウント値が「６」になった次のタイミングでLレベルになる。他の制御信号も、図７に示されるとおり、それぞれのカウント値のタイミングでH,Lレベルに制御される。
【００２８】
図８は、本実施の形態の変形例における液晶表示装置の構成図である。この変形例は、特許文献１に開示されているように、ラインメモリを複数個に分割し、入力画像データをそれら複数のラインメモリにシリアルに書き込み、複数のラインメモリからパラレルに画像データを読み出してデータドライバに供給する。その場合に、ラインメモリへの入力画像データの書き込みは、入力クロックE-CLKに同期して行われ、ラインメモリからの読み出しと表示パネルのドライバのタイミング制御は、内部クロックI-CLKに同期して行われる。
【００２９】
図８に示されるように、表示制御装置２０は、タイミング制御ユニット２２と、左ラインメモリ２４Lと右ラインメモリ２４Rとを有する。そして、タイミング制御ユニット２２は、左ラインメモリ２４Lには、ライトイネーブル信号WE-Lのタイミングで入力クロックE-CLKに同期して１行の左側の画像データD-DATA-Lを書き込み、右ラインメモリ２４Rには、ライトイネーブル信号WE-Rのタイミングで入力クロックE-CLKに同期して１行の右側の画像データDDATA-Rを書き込む。表示信号供給装置からは、入力クロックE-CLKに同期して画像データD-DATAが画素単位でシリアルに供給されるので、タイミング制御ユニット２２は、入力クロックE-CLKに同期して、左ラインメモリ２４Lと右ラインメモリ２４Rに画像データE-DATA-L,Rをシリアルに書き込む。
【００３０】
一方、タイミング制御ユニット２２は、左右ラインメモリ２４L,２４Rに書き込まれた画像データI-DATA-L、I-DATA−Rを、内部クロックI-CLKに同期したリードイネーブル信号REのタイミングで並列に読み出し、それぞれ対応するデータドライバDDに供給する。この時のリードクロックRCLKは、内部クロックICLKに同期し、例えば、入力クロックE-CLKよりも高速のクロックであることが好ましい。それにより、短時間で左右ラインメモリ内の画像データをデータドライバに転送することができる。そして、ゲートドライバGDへのゲートクロックG-CLK、ゲート信号制御信号GSC、及び、データドライバDDへのデータ電圧印加信号DVDは、前述の実施の形態と同様に、内部クロックI-CLKに同期して生成される。
【００３１】
図９は、図８の表示制御装置の動作波形図である。入力クロックE-CLKとイネーブル信号ENABLEに基づいてライトイネーブル信号WE-L,WE-Rが生成され、それに基づいて入力画像データE-DATA-L, E-DATA-Rがそれぞれ左右ラインメモリ２４L,２４Rに書き込まれる。一方、入力クロックI-CLKに同期する内部同期信号I-SYNCが生成され、それによりタイミング制御ユニット２２内のカウンタがリセットされ、内部クロックI-CLKに同期してカウンタがカウントアップを行う。そして、そのカウンタ値COUNTに基づいて、それぞれのタイミングのリードイネーブル信号RE、データ電圧印加信号DVDが生成される。前述したとおり、リードイネーブル信号REに応答して、左右のラインメモリ２４L,２４Rから画像データが並列に読み出され、データドライバに供給される。この読み出し期間を短くするために、内部クロックI-CLKに同期し且つ外部クロックE-CLKよりも高速の読み出しクロックRCLK（図示せず）に同期して、読み出し動作を行うようにすることが好ましい。並列読みだしと高速読み出しクロックとにより、ラインメモリからデータドライバへの画像データの転送時間をより短くすることができる。しかも、ラインメモリからデータドライバへの画像データの転送は、内部クロックに同期して制御されるので、供給される入力クロックの周波数に依存せず、安定して画像データの転送を行うことができる。
【００３２】
更に、左右ラインメモリは、画像データのシリアル書き込みと、パラレル読み出しとを同時に行うことができるように、デュアルポートメモリが採用される。そして、図９に示されるように、左右ラインメモリへの書き込みが終了する前から、並列読みだしが開始される。
【００３３】
以上、実施の形態をまとめると以下の付記の通りである。
【００３４】
（付記１）外部クロックと共に画像データを供給され、液晶表示パネルのデータドライバ及びゲートドライバにそれらのドライブタイミングを制御するタイミング制御信号を供給する表示制御装置において、
前記外部クロックに依存することなく内部クロックを生成する内部クロック生成ユニットと、
前記供給される画像データが前記外部クロックに同期して書き込まれるバッファメモリと、
前記バッファメモリに書き込まれた画像データを前記内部クロックに同期して前記データドライバに供給し、前記データドライバ及びゲートドライバのタイミング制御信号を、前記内部クロックに同期して生成するタイミング制御ユニットとを有することを特徴とする表示制御装置。
【００３５】
（付記２）付記１において、
前記タイミング制御信号には、前記データドライバによる前記画像データに対応するデータ電圧のデータ線への印加タイミングを制御するデータ電圧印加信号と、前記ゲートドライバによるゲート線のドライブタイミングを制御するゲートクロックとが含まれることを特徴とする表示制御装置。
【００３６】
（付記３）付記１において、
前記タイミング制御ユニットは、前記ゲート線のドライブ終了後に前記データ線へのデータ電圧の印加を継続するデータホールド時間を、前記内部クロックに同期して制御することを特徴とする表示制御装置。
【００３７】
（付記４）付記１において、
前記タイミング制御ユニットは、前記データ線へのデータ電圧印加に先立って隣接するデータ線を短絡するチャージシェア時間を、前記内部クロックに同期して制御することを特徴とする表示制御装置。
【００３８】
（付記５）付記１において、
前記内部クロックは、前記外部クロックの周波数に依存することなく一定の周波数を有することを特徴とする表示制御装置。
【００３９】
（付記６）付記１または５において、
更に、外部からの表示同期信号に応じ且つ前記内部クロックに同期して生成される内部同期信号に応答して、カウンタ値をリセットし、前記内部クロックに同期してインクリメントまたはデクリメントするカウンタを有し、
前記タイミング制御ユニットは、前記カウンタのカウント値に基づいて、前記タイミング制御信号を生成することを特徴とする表示制御装置。
【００４０】
（付記７）付記１において、
前記バッファメモリは、１行分の画像データを格納するラインメモリであることを特徴とする表示制御装置。
【００４１】
（付記８）付記１において、
前記バッファメモリは、１行分の画像データを分割して格納する複数の分割ラインメモリであり、
前記タイミング制御ユニットは、前記外部クロックに同期して、前記画像データを前記複数の分割ラインメモリにシリアルに書き込み、前記内部クロックに同期して、前記複数の分割ラインメモリに格納された画像データをパラレルに読み出し、前記データドライバに供給することを特徴とする表示制御装置。
【００４２】
（付記９）外部クロックと共に表示同期信号に対応して画像データを供給され、液晶表示パネルのデータドライバ及びゲートドライバにそれらのドライブタイミングを制御するにタイミング制御信号を供給する表示制御装置において、
前記外部クロックに依存することなく一定周波数の内部クロックを生成する内部クロック生成ユニットと、
前記供給される画像データが前記外部クロックに同期してシリアルに書き込まれる第１及び第２のラインメモリと、
前記第１及び第２のラインメモリに書き込まれた画像データを前記内部クロックに同期して並列に読み出して前記データドライバに供給し、前記データドライバ及びゲートドライバのタイミング制御信号を前記内部クロックに同期して生成するタイミング制御ユニットとを有することを特徴とする表示制御装置。
【００４３】
（付記１０）付記９において、
前記タイミング制御信号には、前記データドライバによる前記画像データに対応するデータ電圧のデータ線への印加タイミングを制御するデータ電圧印加信号と、前記ゲートドライバによるゲート線のドライブタイミングを制御するゲートクロックとが含まれることを特徴とする表示制御装置。
【００４４】
（付記１１）付記９において、
前記タイミング制御ユニットは、前記ゲート線のドライブ終了後に前記データ線へのデータ電圧の印加を継続するデータホールド時間を、前記内部クロックに同期して制御することを特徴とする表示制御装置。
【００４５】
（付記１２）付記９において、
前記タイミング制御ユニットは、前記データ線へのデータ電圧印加に先立って隣接するデータ線を短絡するチャージシェア時間を、前記内部クロックに同期して制御することを特徴とする表示制御装置。
【００４６】
（付記１３）外部クロックと共に画像データを供給され、液晶表示パネルのデータドライバ及びゲートドライバにそれらのドライブタイミングを制御するタイミング制御信号を供給する表示制御装置を有する液晶表示装置において、
前記表示制御装置は、
前記外部クロックに依存することなく内部クロックを生成する内部クロック生成ユニットと、
前記供給される画像データが前記外部クロックに同期して書き込まれるバッファメモリと、
前記バッファメモリに書き込まれた画像データを前記内部クロックに同期して前記データドライバに供給し、前記データドライバ及びゲートドライバのタイミング制御信号を、前記内部クロックに同期して生成するタイミング制御ユニットとを有することを特徴とする液晶表示装置。
【００４７】
（付記１４）外部クロックと共に表示同期信号に対応して画像データを供給され、液晶表示パネルのデータドライバ及びゲートドライバにそれらのドライブタイミングを制御するにタイミング制御信号を供給する表示制御装置を有する液晶表示装置において、
前記外部クロックに依存することなく一定周波数の内部クロックを生成する内部クロック生成ユニットと、
前記供給される画像データが前記外部クロックに同期してシリアルに書き込まれる第１及び第２のラインメモリと、
前記第１及び第２のラインメモリに書き込まれた画像データを前記内部クロックに同期して並列に読み出して前記データドライバに供給し、前記データドライバ及びゲートドライバのタイミング制御信号を前記内部クロックに同期して生成するタイミング制御ユニットとを有することを特徴とする液晶表示装置。
【図面の簡単な説明】
【００４８】
【図１】本実施の形態における液晶表示装置の構成図である。
【図２】ゲートドライバとデータドライバの構成を示す図である。
【図３】外部クロックに同期する場合の表示制御装置の動作波形図である。
【図４】外部クロックに同期する場合の表示制御装置の動作波形図である。
【図５】本実施の形態における表示制御装置のタイミング制御ユニットの構成図である。
【図６】本実施の形態における表示制御装置の動作波形図である。
【図７】本実施の形態における表示制御装置の動作波形図である。
【図８】本実施の形態の変形例における液晶表示装置の構成図である。
【図９】図８の表示制御装置の動作波形図である。
【符号の説明】
【００４９】
１０：液晶表示パネル、２０：表示制御装置、２２：タイミング制御ユニット
２４：バッファメモリ（ラインメモリ）、OSC:内部クロック発生ユニット
E-CLK：外部クロック、I-CLK：内部クロック、E-DATA：画像データ
GD：ゲートドライバ、DD：データドライバ
G-CLK：ゲートクロック、GSC：ゲート信号制御信号、DVD：データ電圧印加信号
WE：ライトイネーブル信号、RE：リードイネーブル信号
【図１】
2006017802.tif 000003
【図２】
2006017802.tif 000004
【図３】
2006017802.tif 000005
【図４】
2006017802.tif 000006
【図５】
2006017802.tif 000007
【図６】
2006017802.tif 000008
【図７】
2006017802.tif 000009
【図８】
2006017802.tif 000010
【図９】
2006017802.tif 000011